(57)【要約】【課題】Ｔ形溶接ナットを安定して保持でき、Ｔ形溶接ナットを確実に供給できる溶接ナットの供給装置を提供すること。【解決手段】保持部２の本体１３の前板部１４下部にＴ形溶接ナット６が通過可能な開口部１５を形成するとともに、Ｔ形溶接ナット６の供給時に開く蓋２０を、開口部１５を覆うように設け、この蓋１５を閉じたとき、蓋１５と後板部２７との間にＴ形溶接ナット６のフランジ２８の板厚より広く、フランジ２８が嵌入可能な隙間を設けるとともに、蓋２０にＴ形溶接ナット６のナット部３２が載置される載置部３３を設け。【選択図】図５
2019042796.tif 000002
【特許請求の範囲】
【請求項１】
ナットフィーダから送られるＴ形溶接ナットを保持する保持部と、この保持部に保持されたＴ形溶接ナットのねじ穴に串刺し、Ｔ形溶接ナットを溶接部に供給する供給ロッドを進退可能に備えたシリンダからなる溶接ナットの供給装置において、前記保持部の本体の前板部下部にＴ形溶接ナットが通過可能な開口部を形成するとともに、Ｔ形溶接ナットの供給時に開く蓋を、開口部を覆うように設け、この蓋を閉じたとき、蓋と後板部との間にＴ形溶接ナットのフランジの板厚より広く、フランジが嵌入可能な隙間を設けるとともに、蓋にＴ形溶接ナットのナット部が載置される載置部を設けたことを特徴とする溶接ナットの供給装置。
【発明の詳細な説明】
【技術分野】
【０００１】  本発明は、抵抗溶接機にてＴ形溶接ナットを基材に溶接するために、Ｔ形溶接ナットを溶接部に供給するための溶接ナットの供給装置に関するものである。
【背景技術】
【０００２】  従来、抵抗溶接機の溶接部に溶接ナットを供給する装置としては、図７に示すように、ナットフィーダから供給される溶接ナット５１を保持部材５２の磁力で溶接ナット５１のねじ孔５３の軸方向と供給ロッド５４の軸方向とを一致させて保持し、溶接ナット５１のねじ孔５３に供給ロッド５４を串刺して、溶接ナット５１を溶接機の下部電極５５に供給するようにしたものがある。（例えば特許文献１参照）
【先行技術文献】
【特許文献】
【０００３】
【特許文献１】特開２００８−１７３６４９公報
【発明の概要】
【発明が解決しようとする課題】
【０００４】  前記のものでは、六角溶接ナットや四角溶接ナットでは溶接ナットのねじ孔と溶接ロッドの軸方向を一致させて、安定して溶接ナットを保持できるので、溶接ナットのねじ孔に溶接ロッドを串刺しでき、確実に溶接ナットを供給できるという効果があるが、フランジを備えたＴ形溶接ナットの場合、フランジ先端が保持部材に当接するため、安定して保持できないという問題があった。【０００５】  本発明は、前記の問題を解決し、Ｔ形溶接ナットを安定して保持でき、Ｔ形溶接ナットを確実に供給できる溶接ナットの供給装置を提供することを目的とする。
【課題を解決するための手段】
【０００６】  上記課題を解決するためになされた本発明のナット供給装置は、ナットフィーダから送られるＴ形溶接ナットを保持する保持部と、この保持部に保持されたＴ形溶接ナットのねじ穴に串刺し、Ｔ形溶接ナットを溶接部に供給する供給ロッドを進退可能に備えたシリンダからなる溶接ナットの供給装置において、前記保持部の本体の前板部下部にＴ形溶接ナットが通過可能な開口部を形成するとともに、Ｔ形溶接ナットの供給時に開く蓋を、開口部を覆うように設け、この蓋を閉じたとき、蓋と後板部との間にＴ形溶接ナットのフランジの板厚より広く、フランジが嵌入可能な隙間を設けるとともに、蓋にＴ形溶接ナットのナット部が載置される載置部を設けたことを特徴とするものである。
【発明の効果】
【０００７】  本発明では、保持部の下部の前板部にＴ形溶接ナットが通過可能な開口部を形成するとともに、Ｔ形溶接ナットの供給時に開く蓋を、開口部を覆うように設け、この蓋を閉じたとき、蓋と後板部との間にＴ形溶接ナットのフランジの板厚より広く、フランジが嵌入可能な隙間を設けるとともに、蓋にＴ形溶接ナットのナット部が載置される載置部を設けたのでＴ形溶接ナットを安定して保持でき、確実に供給できる
【図面の簡単な説明】
【０００８】
【図１】本発明の使用状態を示す図である。
【図２】図１の供給ロッドを進出させた状態の図である。
【図３】本発明の好ましい実施の形態を示す正面図である。
【図４】図３の側面図である。
【図５】図４の要部断面図である。
【図６】図５の供給ロッドを進出させた状態の要部断面図である。
【図７】従来の使用状態を示す断面図である。
【発明を実施するための形態】
【０００９】  以下、本発明の好ましい実施の形態について図１乃至図６に基づいて説明する。
【００１０】  図１及び図２は、本発明の使用状態を示す図であり、１はナット保持部２とシリンダ３からなる溶接ナットの供給装置であり、溶接ナットの供給装置１のナット保持部２の上端はホース４によって、ナットフィーダ５に接続され、ナットフィーダ５からホース４を介して送られてくるＴ形溶接ナット６を保持し、保持されたＴ形溶接ナット６を、シリンダ３の動作によって進退するシリンダ３の供給ロッド７の進出によって、供給ロッド７の先端をＴ形溶接ナット６のねじ孔に串刺して、上部電極８と下部電極９からなる溶接機の電極部の下部電極９にＴ形溶接ナット６を供給するものである。
【００１１】  尚、このとき下部電極９のガイドピン１０には、基材１１の溶接孔１２が嵌め込まれて基材１１が溶接機に保持されている。
【００１２】  図３乃至図６に基づいて前記ナット保持部２の詳細を説明すると、１３は前板部１４と後板部２７からなり、略くの字形に折曲げられ、Ｔ形溶接ナット６が通り下端に保持される四角筒状の本体であり、本体１３の上端にはナットフィーダ５からのホース４が接続され、下部に前板部１４がＴ形溶接ナット６の長手方向の長さより上下方向が大きく切り欠かれた開口部１５が形成され、開口部１５を形成した部分の本体１３の側板部１６は下方が細幅に形成されている。
【００１３】  １７はコ字形に形成されたベースであり、ベース１７は基端の連結片１８で、ねじ１９にて本体１３の下端に固定されている。
【００１４】  ２０は前板２１と後板２２からなる開口部１５を開閉する蓋であり、前板２１は中央部に上端より中央部までＵ字形の切り欠き部２３が形成されるとともに、下方を幅狭部２４に形成した板体であり、後板２２はコ字形に形成されており、前板２１のＵ字形切り欠き部２３が後板２２と重ならないように、前板２１の幅狭部２４を後板２２の側板２５の間に嵌め込んで、ねじ２６にて前板２１を後板２２に固定することにより蓋２０が構成されており、蓋２０は、蓋を閉じたとき、本体１３の後板部２７との間にＴ形溶接ナット６のフランジ２８を嵌入可能な隙間を隔てて、蓋２０を本体１３の開口部１５を開閉可能に閉鎖するように、蓋２０の下端部を、ベース１７の先端部間に軸２９によって枢止するとともに、蓋２０を常に閉じる方向に弾性体であるばね３０にて付勢している。
【００１５】  ３１は本体１３の背面に取付けられているシリンダ３の供給ロッド７が出入りする本体１３の後板部２７に形成された出入孔である。
【００１６】  前記のように構成されたナット保持部２はＴ形溶接ナット６の下部フランジ２８が蓋２０と後板部２７との隙間に嵌入されるとともに、Ｔ形溶接ナット６のナット部３２が蓋２０の後板２２の載置部である上端３３に載置されるので、安定して保持され、この時、蓋２０のＵ字形切欠き部２３とＴ形溶接ナット６のねじ穴と本体１３の後板部２７の出入孔３１はシリンダ３の供給ロッドの軸方向に一致するように一直線に並ぶように形成されている。
【００１７】  次に、前記溶接ナットの供給装置１の動作について説明すると、図１に示す、シリンダ３の供給ロッド７が後退し、引込まれた状態で、下部電極９のガイドピン１０に基材１１の溶接孔１２が嵌め込まれ、基材１１が保持された状態より、シリンダ３が動作して供給ロッド７が進出し、蓋２０のＵ字形切欠き部とＴ形溶接ナット６のねじ穴と本体１３の後板部２７の出入孔３１が一直線に並んでいるので、供給ロッド７の先端の細径部がＴ形溶接ナット６のねじ穴に串刺し、Ｔ形溶接ナット６が供給ロッド７の細径部基端まで来ると、Ｔ形溶接ナット６に押されて蓋２０がばね３０の付勢力に抗して開き、図２に示すように、Ｔ形溶接ナット６を下部電極９に供給する。
【００１８】  その後、シリンダ３が動作して供給ロッド７を後退させシリンダ３内に収納するとともに、蓋２０をばね３０の付勢力にて閉じ、Ｔ形溶接ナットが本体１３内を下降し、下部フランジ２８を蓋２０と本体１３の後板部２７との隙間に嵌入されるとともに、ナット部３２が蓋２０の後板２２の上端の載置部３３に載置され、Ｔ形溶接ナットは安定して保持される。
【００１９】  本発明は、前記実施の形態に限定されるものではなく、例えば蓋２０は前板２１を後板２２に固定しているが、前板２１と後板２２を一体に形成してもよい。
【００２０】  以上のように、本発明の溶接ナットの供給装置は、保持部２の本体１３の前板部１４下部にＴ形溶接ナット６が通過可能な開口部１５を形成するとともに、Ｔ形溶接ナット６の供給時に開く蓋２０を、開口部１５を覆うように設け、この蓋１５を閉じたとき、蓋１５と後板部２７との間にＴ形溶接ナット６のフランジ２８の板厚より広く、フランジ２８が嵌入可能な隙間を設けるとともに、蓋２０にＴ形溶接ナット６のナット部３２が載置される載置部３３を設けたのでＴ形溶接ナット６は下方のフランジ２８を蓋２０と後板部２７の間の隙間に嵌入させるとともに、ナット部３２が蓋２０の載置部３３に載置されることによって安定して保持されるので、確実に溶接部に供給される。
【符号の説明】
【００２１】  １  溶接ナットの供給装置
２  ナット保持部
３  シリンダ
６  Ｔ形溶接ナット
７  供給ロッド
１３  本体
１４  前板部
１５  開口部
１６  側板部
１７  ベース
１８  連結片
１９  ねじ
２０  蓋
２１  前板
２２  後板
２３  切り欠き部
２４  幅狭部
２５  側板
２６  ねじ
２７  後板部
２８  フランジ
３０  ばね
３１  出入孔
３２  ナット部
３３  載置部
【図１】
2019042796.tif 000003
【図２】
2019042796.tif 000004
【図３】
2019042796.tif 000005
【図４】
2019042796.tif 000006
【図５】
2019042796.tif 000007
【図６】
2019042796.tif 000008
【図７】
2019042796.tif 000009